(57)【特許請求の範囲】
【請求項１】
操作ボタンの移動によりベルトを摺動させ、開口の開閉と棒状化粧品の出没を行う形式の棒状化粧品繰出し容器において、一対の２つ割部体(１ａ),(１ａ)からなる本体(１)と、開口開閉用の幅方向で湾曲した断面形状をなしたシャッター部(６０)を一端に有しその近傍には操作ボタン(６２)を一体に有し他端には棒状化粧品を取り付ける筒状受皿(６ａ)を有する可撓性ベルト(６)のみからなり、前記一対の２つ割部体(１ａ),(１ａ)には、上端に化粧品出没用の半開口(２ａ)を、また側面には合せ面に沿って前記操作ボタン(６２)を突出させるための切欠き(３ａ)をそれぞれ設け、前記一対の２つ割部体(１ａ),(１ａ)の内側下部には軸線を中心として前記可撓性ベルト(６)をＵターンさせるための半円弧状の曲率ガイド溝(４ｂ)をそれぞれ設ける一方、曲率ガイド溝(４ｂ)より上域の一対の２つ割部体(１ａ)，(１ａ)の内側には、前記溝状の切欠き(３ａ)の直近位置に、可撓性ベルト(６)の摺動をガイトするため前記曲率ガイド溝(４ｂ)の一側開口につながったベルトガイド溝(８)をそれぞれ設け、このベルトガイド溝(８)よりも内側周方向には、前記シャッター部(６０)の曲率とほぼ合致する曲率を有し、２つ割部体(１ａ)，(１ａ)の合体状態においてシャッター部(６０)の幅と略一致する幅となるシャッター部ガイド用の幅広曲率溝(８ａ)をそれぞれ形成し、さらに、この幅広曲率溝(８ａ)の端に段面(８１)を有せしめて周方向にそれぞれ肉厚部(８ｂ)を形成し、この肉厚部(８ｂ)の終端である前記ベルトガイド溝(８)と１８０度対称位置には下端が前記曲率ガイド溝(４ｂ)の他側開口とつながったベルトガイド溝(８´)を形成しており、前記肉厚部(８ｂ)は、その内面が前記筒状受皿(６ａ)の外径のなす面とほぼ一致し、かつ２つ割部体(１ａ)，(１ａ)を合体させた状態での合計周長が筒状受皿(６ａ)の周長の５０％を越す受皿ガイド用の弧状曲率面(８２)を有していることを特徴とする棒状化粧品繰出し容器。
【請求項２】
筒状受皿６ａが可撓性ベルト６に一体成形されている請求項１に記載の棒状化粧品繰出し容器。
【請求項３】
可撓性ベルト６は長手方向と直角の断面が湾曲状をなしている請求項１または２に記載の棒状化粧品繰出し容器。
【発明の詳細な説明】
【０００１】
【発明の属する技術分野】
本発明は棒状化粧品繰出し容器の改良に関する。
【０００２】
【従来の技術】
口紅やチックで代表される棒状化粧品繰出し容器として、らせん筒と縦スリット付きの中筒と外筒と袴体を組み合わせた形式のものが知られているが、使用時に外筒を片方の手で摘み、他方の手で袴体を回動する操作が必要であるため煩雑であり、また、部品数が多く、組立てが面倒であるという問題があった。
そこで、実開昭５８−１１２２１４号公報，実開平１−８２８１９号公報および実開平１−１０４９１２号公報には、上端に開口を有する２つ割りの本体に、一端に化粧品を保持した受皿を設け他端にシャッター部を設けたベルトをＵ字状に内装し、ベルトを摺動操作することによりシャッター部で開口を開閉して化粧品を出没させるようにした形式のこの種容器が提案されている。
これら先行技術によれば、片手で容器をもちながらその手の指先でボタンを動かすことで棒状化粧品を出没することができ、キヤップなどの部品を省略できる点でメリットがある。
【０００３】
しかし、これら先行技術は、容器本体の縦孔から突出している操作片によりベルトを摺動させると、シャッター部が開口に向かって曲がる際などに摺動抵抗によってベルトが厚さ方向に波状に屈曲変形しやすく、その部分が容器内面に強接するためシブリが生じ、化粧品のスムーズな繰出しを行えなくなるという問題があった。
さらに、先行技術では、ベルトガイド面が軸線と直角の断面が直線状である関係から、容器本体の軸線と直角の断面が少なくとも一面が平らな角ばった機械的な特有の形状となる。そのため、汎用の回転式の繰出し容器と比べて外観のスマートさや優雅さに欠けるという問題があった。
【０００４】
この対策として本発明者は、特開平８−１２６５２５号公報において、２つ割の本体と、受皿と操作ボタンを備えた可撓性ベルトと、受皿が嵌まる内径と本体の内面に密接する外形形状を有し、本体の縦孔に対向する面とこれと１８０度変位した面に、可撓性ベルトをその長手方向と直角の断面がわん曲状となるように前記本体内面と協同して整形する周方向曲率付き縦溝をそれぞれ設けた中筒都を組み付けたものを提案した。
この先行技術によれば、軽い操作力で化粧料をスムーズに繰出し作動させることができるが、中筒を使用するため部品数が多くなる点、中筒内を中皿が昇降するようになっているため容器の径が大きくなる点、中筒の回転止めを図る関係から１８０度対称位置が平坦状ないしこれに近い形状になってしまう点などに問題があった。
【０００５】
【発明が解決しようとする課題】
本発明は前記のような問題点を解消するために創案されたもので、その目的とするところは、軽い操作力で化粧料をスムーズに繰出し作動させることができ、しかも部品数が極めて少なく、しかも断面が真円形状で径が細くスマートな棒状化粧品繰出し容器を提供することにある。
【０００６】
【課題を解決するための手段】
上記目的を達成するため本発明は、操作ボタンの移動によりベルトを摺動させ、開口の開閉と棒状化粧品の出没を行う形式の棒状化粧品繰出し容器において、一対の２つ割部体からなる本体と、開口開閉用の幅方向で湾曲した断面形状をなしたシャッター部を一端に有しその近傍には操作ボタンを一体に有し他端には棒状化粧品を取り付ける筒状受皿を有する可撓性ベルトのみからなり、前記一対の２つ割部体には、上端に化粧品出没用の半開口を、また側面には合せ面に沿って前記操作ボタンを突出させるための切欠きをそれぞれ設け、前記一対の２つ割部体の内側下部には軸線を中心として前記可撓性ベルトをＵターンさせるための半円弧状の曲率ガイド溝をそれぞれ設ける一方、曲率ガイド溝より上域の一対の２つ割部体の内側には、前記溝状の切欠きの直近位置に、可撓性ベルトの摺動をガイトするため前記曲率ガイド溝の一側開口につながったベルトガイド溝をそれぞれ設け、このベルトガイド溝よりも内側周方向には、前記シャッター部の曲率とほぼ合致する曲率を有し、２つ割部体の合体状態においてシャッター部の幅と略一致する幅となるシャッター部ガイド用の幅広曲率溝をそれぞれ形成し、さらに、この幅広曲率溝の端に段面を有せしめて周方向にそれぞれ肉厚部を形成し、この肉厚部の終端である前記ベルトガイド溝と１８０度対称位置には下端が前記曲率ガイド溝の他側開口とつながったベルトガイド溝を形成しており、前記肉厚部は、その内面が前記筒状受皿の外径のなす面とほぼ一致し、かつ２つ割部体を合体させた状態での合計周長が筒状受皿の周長の５０％を越す受皿ガイド用の弧状曲率面を有している構成としている。
前記筒状受皿は可撓性ベルトと一体に成形されていてもよいし、別体に作られていて可撓性ベルトに固定されるようになっていてもよい。
【０００７】
【作用】
本発明においては、本体の曲率ガイド溝が軸線を中心として半円弧状に構成されていることにより可撓性ベルトが大きな曲率半径でＵターンされるとともに、シャッター部が幅方向で湾曲した断面形状をなし、これが本体に形成されている幅広曲率溝面に沿って摺動するため、適切なガイド作用が得られ、可撓性ベルトが薄く柔軟であってもスムーズかつ軽快に棒状化粧品の繰出しを行うことができる。  また、部材としては、２つ割部体と可撓性ベルトだけ、あるいは多くてもこれに受皿が加わるだけの少ないパーツで済み、組立ても、一方の２つ割り部体の厚肉部に受皿を位置させ、可撓性ベルトを曲率ガイド溝に嵌め、シャッター部を幅広曲率面に位置させた状態で他方の２つ割部体を合せるだけでよいため、簡単であり、コストを安くすることができる。
また、中筒など周方向位置決めを要するガイド部材を内蔵しておらず、幅方向で湾曲した断面形状のシャッター部を本体の内面に形成されている幅広曲率溝面で直接ガイドするようにしているため、本体の断面形状を真円形とすることができ、外径が細くスマートで優美な化粧品容器とすることができる。
【０００８】
【実施例】
以下本発明の実施例を図面に基いて説明する。
図１ないし図５は本発明に係る棒状化粧品繰出し容器の第１実施例を示している。
１は合体状態で軸線と直角の外面輪郭が真円形となる本体であり、左右一対の２つ割部体１ａ，１ａからなっている。６は合成樹脂によって薄い帯に作られた可撓性ベルト（ストラップ）である。
前記２つ割部体１ａ，１ａは、上端が傾斜状となっており、ここに合体時に開口２となるべき半円弧状の切欠部２ａ，２ａが形成され、合せ面の片側とりわけ傾斜の下側には合体時に長手方向に伸びる長孔３となるべき溝状の切欠き３ａ，３ａが設けられている。切欠部２ａ，２ａの直下内側とりわけ切欠き３ａと１８０度対称側には可撓性ベルト６の後述するシャッター部６０の先端を受容するための係止溝９が形成されている。
【０００９】
また、２つ割部体１ａ，１ａの内側下部には、合せ面側が平坦面４ａとなった厚肉の底部４が形成されており、該底部４の平坦面４ａには、図１と図５（ｂ）のように、正面からみて軸線を中心として半円弧状の曲率ガイド溝４ｂが凹設されており、それら曲率ガイド溝４ｂ，４ｂにより、合体時に可撓性ベルト６の幅よりも適度に大きな曲率ガイド溝が形成されるようになっている。
そして、この実施例では、片方の２つ割部体１ａの底部平坦面４ａには、前記曲率ガイド溝４ｂと異なる部位に突起４０が設けられており、他方の２つ割部体１ａの底部平坦面４ａには前記突起４０と正対する部位に穴４１が設けられており、これら突起４０と穴４１との嵌合により２つ割部体１ａ，１ａが合体して本体１が構成されるようになっている。
【００１０】
前記可撓性ベルト６は、開口２の開閉と棒状化粧品Ａの出没のために本体１に摺動自在に組付けられるもので、図４のように、一端に前記本体１の開口２を閉じ得る大きさのシャッター部６０を一体に有し、他端には連結部６１を介して筒状の受皿６ａが一体に形成されている。そして、前記シャッター部６０の近傍には摺動操作用の操作ボタン６２が一体形成されている。シャッター部６０はベルトの幅よりも大きく、図６のように幅方向内向きに湾曲した断面形状となっている。そしてベルトとの境界部位をヒンジとして適度に傾斜できるようになっている。
前記半円弧状の曲率ガイド溝４ｂ，４ｂにより形成される曲率ガイド溝の幅は、前記可撓性ベルト６の幅よりも適度に大きく、深さも可撓性ベルトの厚さよりも適度に大きくなっている。
【００１１】
２つ割部体１ａ，１ａの内側には、前記溝状の切欠き３ａの直近位置に可撓性ベルト６の摺動をガイトするためのベルトガイド溝８がそれぞれ設けられおり、該ベルトガイド溝８は軸線方向に伸び前記曲率ガイド溝４ｂの一側開口につながっている。２つ割部体１ａ，１ａのベルトガイド溝８，８は合体状態において、可撓性ベルトの幅よりも適度に大きくなっている。
また、このベルトガイド溝８よりも内側周方向には前記シャッター部６０をガイドするための幅広曲率溝８ａが形成され、さらに、この幅広曲率溝８ａの端に段面８１を有せしめるようにして周方向に肉厚部８ｂが形成され、この肉厚部８ｂの終端すなわち前記ベルトガイド溝８と１８０度対称位置にはベルトガイド溝８’が形成されている。
【００１２】
前記幅広曲率溝８ａ，８ａはシャッター部６０の曲率とほぼ合致する曲率を有し、かつ、２つ割部体１ａ，１ａの合体状態において、全体としてシャッター部６０の幅と略一致する幅となり、肉厚部８ｂとの境界の段面８１，８１によってシャッター部６０の横ずれを防止するようになっている。
前記肉厚部８ｂは図５（ｃ）のように合せ面の中心Ｃを中心とする弧状曲率面８２を有しており、該弧状曲率面８２の径は受皿６ａの外径とほぼ一致し、かつ２つ割部体１ａ，１ａを合体させた状態での弧状曲率面８２，８２の合計面積が受皿６ａの周長の５０％を越すようになつている。
前記肉厚部８ｂは軸線方向では基端が底部４にあり、この位置から軸線方向に等厚、当幅の状態で伸びるが、溝状の切欠き３ａの終端のやや手前から傾斜して幅が減少し、前記係止溝９の下側とほぼ合致する位置で終端となつている。
したがって幅広曲率溝８ａは図５（ｂ）のように始端から軸線方向に沿って同じ幅で伸び、溝状の切欠き３ａの終端のやや手前から漸次拡がって終端部８ａ’を形成しており、これによりシャッター部６０を円滑に前傾させて溝状の切欠き３ａに誘導するように構成している。
【００１３】
ベルトガイド溝８’，８’は２つ割部体１ａ，１ａの合体状態において、可撓性ベルトの幅よりも適度に大きくなっており、下端側が前記半円弧状の曲率ガイド溝４ｂの他側開口につながっている。そして、上端は図１のように係止溝９より適度に下方すなわち受皿６ａの最大突出位置に対応する位置で終わっている。
前記受皿６ａは筒状をなし、溝状の切欠き３ａと１８０度対称位置の外周面から半径方向にピン状の連結部６１が突出形成され、それが可撓性ベルト６の端部につながっている。かかる連結部６１の軸線方向への平行移動をガイドするため、ベルトガイド溝８’を構成する肉厚部８ｂの端には図２と図３のように突起８３が設けられており、したがつて、２つ割部体１ａ，１ａの合体状態においてベルトガイド溝８’，８’は図２のように内方にスリット８４が形成されている。
前記受皿６ａは溝状の切欠き３ａ側に対応する周方向位置でかつ軸線方向では下半部の範囲に円弧状のストッパー用突起６４を有しており、繰出し時において、該ストッパー用突起６４が図１（ｂ）のように本体１の開口２に隣接する上端隅部７に当接することにより受皿６ａの上昇限を規制するようになつている。
【００１４】
前記操作ボタン６２は本体１の縦孔３を貫く軸部６２０を有し、該軸部６２０の下端が可撓性ベルト６に一体に連結形成されている。
この実施例では、操作ボタン６２をぐらつかさせずに安定した操作を行なえるようにするため、操作ボタン６２を形成した領域だけベルト幅を広くしており、その広幅ベルト部分６’は軸部６２０の基端両側に対応する部位に厚さ方向を貫く窓穴６２１，６２１が設けられている。この窓穴６２１，６２１はベルト操作ボタン６２の型抜きを容易にするためであつて、特に必要ではない。このように操作ボタン６２に対応する部分が広幅ベルト部分６’となっているため、この幅に対応するように前記ベルトガイド溝８，８の幅は広くなつている。しかし、操作ボタン６２を形成したベルト領域は必ずしも広幅とする必要はない。
【００１５】
前記可撓性ベルト６は長手方向と直角の断面が図７（ｂ）のように平らであってもよいが、好ましくは、図７（ａ）のように成形状態において湾曲形状とする。こうすることによりアングル効果が生じ、従来のような幅方向で直線状のまま摺動する場合に比べて実質的に可撓性ベルト６の強度が増すため、可撓性ベルト６が薄く柔軟であっても使用状態では十分に腰が強くなる。この断面形状に対応するようにベルトガイド溝８，８，８’，８’の底面を湾曲状にすることも推奨される。  なお、場合によっては受皿６ａは可撓性ベルト６と別体に成形され、機械的に連結することで一体化してもよい。この場合には、図８のように受皿６ａに横穴６５を形成する一方、可撓性ベルト６に連結用ピン部６６を形成しておき、該連結用ピン部６６を横穴６５に嵌入すればよい。
【００１６】
なお、いずれの実施例においても、本体１の外周には必要に応じて蒸着、転写接着、圧入等の手段により金属光沢面を形成してもよい。
棒状化粧品Ａは受皿６ａに直接嵌着してもよいし、カプセル式の棒状化粧品Ａを用いる場合には、受皿６ａを２体に分割し、第１の受皿の内壁に係止用環状突起を設け、第２受皿(中皿)の外周には環状溝を設け、棒状化粧品Ａをカプセルから押し出して第２受皿に保持させ、その状態で第２受皿を第１の受皿に嵌着することで結合させるようにすればよい。
また、この実施例では２つ割部体１ａ，１ａの合体機構として突起４０と凹部４１を用いているが、これに限らず、１方の２つ割部体１ａの合せ面縁部に沿って舌状突起を設け、他方の２つ割部体１ａの合せ面縁部に沿って対応する嵌合用溝を設ける構造であってもよい。
【００１７】
【実施例の作用】
次に、実施例に示すものの使用方法と作用を説明する。
本発明による棒状化粧品繰出し容器を得るにあたっては、図４のような分解状態とし、たとえば左側の２つ割部体１ａの肉厚部８ｂに受皿６ａを接触させ、受皿６ａよりも先の可撓性ベルト６を図示するようにＵ字状に湾曲させて半円弧状の曲率ガイド溝４ｂに嵌め、操作ボタン６２の軸部６２０を溝状の切欠き３ａに臨ませるようにしつつ、シャッター部６０を幅広曲率溝８ａに当接させる。この状態で、右側の２つ割部体１ａを左側の２つ割部体１ａにかぶさるように合せればよく、これで２つ割部体１ａ，１ａが合体するとともに、受皿６ａと可撓性ベルト６が内部に組み込まれた完成品となる。したがって、組立てが非常に簡単である。
前記組み込み時に曲率ガイド溝４ｂが本体の軸線を中心として半円弧状に形成されており、Ｕリターン部の曲率半径が大きい。従って、可撓性ベルト６は無理に屈曲させられず、可撓性ベルト６を薄く柔軟に構成できることと相まってスプリングバックがほとんど生じない。
【００１８】
図１（ａ）は棒状化粧品Ａを格納させた状態であり、操作ボタン６２が縦孔３の上端に位置し、可撓性ベルト６のシャッター部６０が開口２を閉じている。受皿６ａは曲率ガイド溝４ｂを過ぎた位置にある。
使用にあたっては、従来と同様に操作ボタン６２を縦孔３に沿って下方に摺動するもので、操作ボタン６２は可撓性ベルト６と一体になつているため、可撓性ベルト６は本体１内を時計方向に移動し、それにより開口２を閉じていたシャッター部６０は傾斜した状態から直線状となって下降し、一方、曲率ガイド溝４ｂの端に位置していた受皿６ａは連結部６１によって可撓性ベルト６と一体になつているため上方に移動し、棒状化粧品Ａは図１(ｂ)のように開口２から繰り出される。  この状態で棒状化粧品Ａを使用して塗布した後、縦孔３の下方に位置している操作ボタン６２を上方へ摺動すれば、可撓性ベルト６は曲率ガイド溝４ｂに沿って反時計方向に移動する。それによりシャッター部６０は開口２に隣接する上端隅部７で屈曲され、開口２を横切るように移動して先端が係止溝９に挿入され、一方、受皿６ａは牽引下降され、操作ボタン６２が縦孔３の上端に位置したときに、再び図１(ａ)のように棒状化粧品Ａが本体１へ没入される。
【００１９】
本発明では、シャッター部６０が幅方向で湾曲しており、この湾曲形状が本体１の内面に形成されている幅広曲率溝８ａ，８ａに納められ、かかるわん曲状態のまま上方または下方へと摺動するため、アングル効果により安定して摺動させることができる。そして、シャッター部６０の後方の可撓性ベルト６は曲率ガイド溝４ｂとベルトガイド溝８，８，８’，８’に納められて移動するため安定しており、ことに可撓性ベルト６を成形時に湾曲させておいた場合には、アングル効果で強度が増すため、薄く柔軟であっても十分に腰が強くなり、スムーズに移動することができる。さらにシャッター部６０は幅方向に湾曲しているため開口２の下面との接触面積が小さく（摺動抵抗が少なく）、また受皿６ａと一体の連結部６１はベルトガイド溝８’，８’間のスリット８４によってスムーズにガイドされる。
従って、可撓性ベルト６と棒状化粧品Ａは軽易な操作力によってスムーズに移動し、シャッター部６０により開口の開閉を長期にわたって円滑に行うことができる。
【００２０】
【発明の効果】
以上説明した本発明の請求項１によれば、本体１を構成する２つ割部体１ａ，１ａの内側下部に軸線を中心とする半円弧状の曲率ガイド溝４ｂを有しているため可撓性ベルト６のリターン曲率半径を大きくとることができ、この部分での摺動抵抗を少なくすることができる。さらに、シャッター部６０が幅方向で湾曲した断面形状をなし、２つ割部体１ａ，１ａにはベルトガイド用溝８，８よりも内側にシャッター部ガイド用の幅広曲率溝８ａ，８ａを形成しているため、幅広曲率溝８ａ，８ａと湾曲状のシャッター部６０により可撓性ベルト６の腰が強くなり、摺動時に屈曲したり折れたりしない。また、肉厚部８ｂとの境界の段面８１，８１によってシャッター部６０の横ずれを防止する。そのため、棒状化粧品をスムーズに繰り出すことができる。
しかも、幅広曲率溝８ａ，８ａの端から筒状受皿６ａの外径と略合致する弧状曲率面８２を有する厚肉部８ｂを周方向に形成して筒状受皿６ａの昇降を直接本体だけでガイドするようにしているため、部品としては２つ割部体１ａ，１ａと可撓性ベルト６というごく少ない部品数で足り、組立ても筒状受皿を一方の２つ割部体１ａの厚肉部８ｂに載せ、可撓性ベルト６を曲率ガイド溝４にはめてＵターンさせ、他方の２つ割部体１ａを合せるだけでよいため非常に簡単であり、安価に作ることができる。
さらに、幅方向で湾曲した断面形状のシャッター部６０を２つ割部体１ａ，１ａの内面に形成されている幅広曲率溝面８ａ，８ａで直接ガイドするようにしていることと、厚肉部８ｂは、その内面が前記筒状受皿６ａの外径のなす面とほぼ一致し、かつ２つ割部体１ａ，１ａを合体させた状態での合計周長が筒状受皿６ａの周長の５０％を越す受皿ガイド用の弧状曲率面８２を有し、受皿６ａの昇降を直接ガイドするようにしていることにより、本体１の断面形状を細い真円形とすることができ、外径が細くスマートで優美な化粧品容器とすることができるというすぐれた効果が得られる。
【００２１】
請求項２によれば、受皿６ａが可撓性ベルト６に一体成形されているため部品数を最小の３つとすることができるというすぐれた効果が得られる。
請求項３によれば、可撓性ベルト６が長手方向と直角の断面が湾曲状をなしているため、アングル効果により腰が強く、薄い可撓性ベルトであっても安定してスムーズに移動させることができるというすぐれた効果が得られる。
【図面の簡単な説明】
【図１】（ａ）は本発明の棒状化粧品繰出し容器の第１実施例を閉じ状態で示す縦断側面図、（ｂ）は同じく棒状化粧品を繰り出した状態を示す縦断側面図である。
【図２】図１（ｂ）のｘ−ｘ線に沿う拡大断面図である。
【図３】図１（ａ）のＹ−Ｙ線に沿う拡大断面図である。
【図４】本発明容器の分解状態を示す斜視図である。
【図５】（ａ）は本発明における本体の縦断背面図、（ｂ）は２つ割り部体の正面図、（ｃ）は（ａ）のＺ−Ｚ線に沿う拡大断面図である。
【図６】本発明における可撓性ベルトのシャッター部の横断面図である。
【図７】（ａ）は可撓性ベルトのベルト部の横断面図、（ｂ）は可撓性ベルトのベルト部の他の断面形状例を示す横断面図である。
【図８】本発明における受皿と可撓性ベルトの取り合いの他の例を示す断面図である。
【符号の説明】
１  本体
１ａ，１ａ  ２つ割部体
２  開口
３  縦孔
４ｂ  曲率ガイド溝
６  可撓性ベルト
６ａ  筒状受皿
８，８´  ベルトガイド溝
８ａ  幅広曲率溝
８ｂ  厚肉部
８２  弧状曲率面
６０  シャッター部
６１  連結部
６２  操作ボタン
Ａ  棒状化粧品
【図１】
0004480052.tif 000002
【図２】
0004480052.tif 000003
【図３】
0004480052.tif 000004
【図４】
0004480052.tif 000005
【図５】
0004480052.tif 000006
【図６】
0004480052.tif 000007
【図７】
0004480052.tif 000008
【図８】
0004480052.tif 000009